(57)【要約】【課題】流路内の液体を濾過すると共に効率良く加熱することができる液体噴射ヘッドユニットを提供する。【解決手段】複数のノズル３８と、該ノズルに連通する流路と、該流路内の液体を濾過するフィルター２５と、を備えた液体噴射ヘッドユニット２であって、前記フィルターは、導電性を有する導体部と、該導電部の表面に形成された絶縁層６１と、を含み、前記フィルターの導体部に給電手段２９から通電することで当該フィルターを発熱させることを特徴とする。【選択図】図２
2012086370.tif 000002
【特許請求の範囲】
【請求項１】
複数のノズルと、該ノズルに連通する流路と、該流路内の液体を濾過するフィルターと、を備えた液体噴射ヘッドユニットであって、
前記フィルターは、導電性を有する導体部と、該導電部の表面に形成された絶縁層と、を含み、
前記フィルターの導体部に給電手段から通電することで当該フィルターを発熱させることを特徴とする液体噴射ヘッドユニット。
【請求項２】
前記フィルターの導体部は、電熱線を網目状に織って形成されたことを特徴とする請求項１に記載の液体噴射ヘッドユニット。
【請求項３】
前記フィルターの導体部は、電熱板に複数の穴を開けて形成されたことを特徴とする請求項１に記載の液体噴射ヘッドユニット。
【発明の詳細な説明】
【技術分野】
【０００１】
本発明は、ノズルに連通する圧力室に圧力変動を与えて、圧力室内の液体をノズルから噴射させるインクジェット式記録ヘッド等の液体噴射ヘッドユニットに関する。
【背景技術】
【０００２】
圧力室内の液体に圧力変動を生じさせることでノズルから液滴として噴射させる液体噴射ヘッドとしては、例えば、インクジェット式記録装置（以下、単にプリンターという）などの画像記録装置に用いられるインクジェット式記録ヘッド（以下、単に記録ヘッドという）、液晶ディスプレイなどのカラーフィルターの製造に用いられる色材噴射ヘッド、有機ＥＬ（Electro Luminescence）ディスプレイ、ＦＥＤ（面発光ディスプレイ）などの電極形成に用いられる電極材噴射ヘッド、バイオチップ（生物化学素子）の製造に用いられる生体有機物噴射ヘッドなどがある。
【０００３】
例えば、上記の記録ヘッドでは、リザーバーから圧力室を経てノズルに至る一連の液体流路が形成された流路ユニットや圧力室の容積を変動可能な圧力発生素子を有するアクチュエーターユニットなどを樹脂製のヘッドケースに取り付けて構成されているものがある。上記流路ユニットには、複数のノズルを開設したノズルプレートが接合されている。
【０００４】
このような記録ヘッドに液体を供給する流路の内部に液体を濾過するフィルターと、このフィルターを温める加熱手段とを備えたプリンターが知られている（例えば、特許文献１参照）。このような構成を採ると、加熱したフィルターの熱を流路内の液体に伝え、この液体を加熱することができる。ところで、液体の粘度は、温度と相関関係にあり、温度が低いほど粘度が高くなり、温度が高いほど粘度が低くなる傾向がある。このため、液体を加熱することにより流路内の液体の粘度を下げることができ、フィルターによる流路抵抗の増大を抑制することができると共に、ノズルから吐出する際のエネルギーを少なくすることができる。
【先行技術文献】
【特許文献】
【０００５】
【特許文献１】特開２００８−２３８４３４号公報
【発明の概要】
【発明が解決しようとする課題】
【０００６】
ところで、上記のような記録ヘッドでは、加熱手段で発熱した熱がフィルターを介して液体に伝わるため、液体の加熱効率が悪い。また、加熱手段からフィルター全体に伝熱する時間が必要であるため、加熱速度も遅くなる。このため、流路内の液体を所定の温度に保つための制御が困難となっていた。また、フィルターを加熱する加熱手段を別途設けるため、構造が複雑になり、組立時の作業効率が低下していた。
【０００７】
本発明は、このような事情に鑑みてなされたものであり、その目的は、流路内の液体を濾過しながら効率良く加熱することができる液体噴射ヘッドユニットを提供することにある。
【課題を解決するための手段】
【０００８】
本発明は、上記目的を達成するために提案されたものであり、複数のノズルと、該ノズルに連通する流路と、該流路内の液体を濾過するフィルターと、を備えた液体噴射ヘッドユニットであって、
前記フィルターは、導電性を有する導体部と、該導電部の表面に形成された絶縁層と、を含み、
前記フィルターの導体部に給電手段から通電することで当該フィルターを発熱させることを特徴とする。
【０００９】
この構成によれば、流路内の液体を濾過するフィルターに通電することでフィルター自体が発熱するため、効率良く流路内の液体を加熱することができ、液体の加熱速度も早くすることができる。その結果、流路内の液体の温度制御が容易になる。また、流路内のインクの温度を上げることで、流路内の液体の粘度を下げることができ、フィルターによる流路抵抗の増大を抑制することができる。さらに、加熱手段を別途設ける必要が無いため、構造を簡単にすることができる。
【００１０】
上記構成において、前記フィルターの導体部は、電熱線を網目状に織って形成された構成を採用することが望ましい。
【００１１】
また、前記フィルターの導体部は、電熱板に複数の穴を開けて形成された構成を採用することが望ましい。
この構成によれば、電熱板に穴を開けるだけでよいため、フィルターを容易に製造することができる。
【図面の簡単な説明】
【００１２】
【図１】プリンターの斜視図である。
【図２】液体噴射ヘッドユニットの断面図である。
【図３】図２におけるＡ−Ａ線の要部断面図である。
【図４】第１の実施形態におけるフィルターの（ａ）正面図（ｂ）Ｂ−Ｂ線断面図である。
【図５】第２の実施形態におけるフィルターの正面図である。
【発明を実施するための形態】
【００１３】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、液体噴射装置として、図１に示すインクジェット式記録装置１（以下、単にプリンターという）を例示する。
【００１４】
プリンター１は、液体噴射ヘッドユニットの一種であるインクジェット式記録ヘッドユニット２（以下、単に記録ヘッドユニットという）が取り付けられると共に、記録ヘッドユニット２およびインクカートリッジ４が取り付けられるキャリッジ５と、記録ヘッドユニット２の下方に配設されたプラテン６と、記録ヘッドユニット２が搭載されたキャリッジ５を記録紙７（ノズルから噴射された液体が着弾する着弾対象の一種）の紙幅方向に移動させるキャリッジ移動機構８と、紙幅方向に直交する方向である紙送り方向に記録紙７を搬送する紙送り機構９等を備えて概略構成されている。ここで、紙幅方向とは、主走査方向（記録ヘッドユニット２の往復移動方向）であり、紙送り方向とは、副走査方向（即ち、記録ヘッドユニット２の走査方向に直交する方向）である。
【００１５】
キャリッジ５は、主走査方向に架設されたガイドロッド１０に軸支された状態で取り付けられており、キャリッジ移動機構８の作動により、ガイドロッド１０に沿って主走査方向に移動するように構成されている。キャリッジ５の主走査方向の位置は、リニアエンコーダー１１によって検出され、検出信号が位置情報として制御部（図示せず）に送信される。これにより、制御部はこのリニアエンコーダー１１からの位置情報に基づいてキャリッジ５（記録ヘッドユニット２）の走査位置を認識しながら、記録ヘッドユニット２による記録動作（噴射動作）等を制御することができる。
【００１６】
記録ヘッドユニット２は、キャリッジ５の下部（記録動作時の記録紙７側）に取り付けられている。また、インク（液体の一種）を貯留したインクカートリッジ４は、キャリッジ５に対して着脱可能に取り付けられている。さらに、記録ヘッドユニット２は上部にインクを貯留するサブタンク１３を有しており、このサブタンク１３がインクカートリッジ４の内部と連通することで、インクカートリッジ４内のインクを記録ヘッドユニット２内に導入できるように構成されている。
【００１７】
次に、記録ヘッドユニット２の構成について詳しく説明する。図２は記録ヘッドユニット２の断面図、図３は図２におけるＡ−Ａ線の要部断面図である。本実施形態における記録ヘッドユニット２は、サブタンク１３と、該サブタンク１３の下部に接続される流路部材１４と、該流路部材１４の下部に接続部材１５を介して接続されるインクジェット式記録ヘッド１６（以下、単に記録ヘッドという）と、該記録ヘッド１６の下部を保護するヘッドカバー１７と、を備えて構成される。なお、本実施形態における記録ヘッドユニット２は、主走査方向と直交する断面（図３参照）において左右対称であるため、以下ではそのうちの一側の構成について説明し、当該一側の構成とは対称な他側の構成の説明については省略する。
【００１８】
サブタンク１３は、樹脂等により作製された中空箱体状の部材であり、上部に位置するインクカートリッジ４と液体導入針等（図示せず）を介して連通している。このため、インクカートリッジ４内のインクは、サブタンク１３内に導入されて貯留されている。また、サブタンク１３の下部には、後述する流路部材１４の循環流路２２と連通する導出口２０および導入口２１が開口しており、導出口２０を介してサブタンク１３内のインクを流路部材１４内に導入可能にすると共に、導入口２１を介して流路部材１４内のインクをサブタンク１３内へ導出可能にする。
【００１９】
流路部材１４は、サブタンク１３の下部に接続される箱体状の部材であり、内部に形成される循環流路２２と、該循環流路２２の途中に取り付けられるポンプ２４と、循環流路２２の内部に装着されるフィルター２５と、該フィルター２５を挟んで循環流路２２と連通する複数（本実施形態では、４本。図２参照。）の連通路２６と、を備えている。循環流路２２は、サブタンク１３の導出口２０と連通し、該導出口２０から下側（記録ヘッド１６側）に延伸した供給流路２２ａと、該供給流路２２ａの下端部と連通し、下辺が後述するリザーバー３０の長さと揃えられた幅広な流路であるフィルター装着部２２ｂと、該フィルター装着部２２ｂの上部と下端が連通し、上端がサブタンク１３の導入口２１と連通するクランク状の排出流路２２ｃと、から構成される。また、本実施形態では、供給流路２２ａの上部にポンプ２４を装着しており、このポンプ２４の圧力によってインクを押し出すことで、インクの循環を可能としている。つまり、サブタンク１３内のインクは、導出口２０、供給流路２２ａ、フィルター装着部２２ｂ、排出流路２２ｃ、導入口２１を介して再びサブタンク１３に導入することで、記録ヘッド１６より上部の流路内を循環する。なお、このようなインクの循環は、記録ヘッド１６が待機している時（記録動作をしていない時）等にポンプ２４を駆動することで実行され、インクの増粘を抑制することができる。そして、フィルター装着部２２ｂ内には、後で詳述するが、正面視においてフィルター装着部２２ｂと略同じ形状のフィルター２５が備えられている（図２参照）。このフィルター２５は、一方の面である循環流路２２側から他方の面である連通路２６側へ送るインクを微細な孔を通して濾過する機能を有する板状あるいは細かな網状の部材である。また、フィルター２５の一部には接続配線２８の一端部が接続されており、この接続配線２８の他端部が流路部材１４を貫通して外部に備えた電源２９に接続されている。なお、この構成については、後で詳述する。連通路２６は、一端がフィルター２５を介してフィルター装着部２２ｂと流路部材１４の内側で連通し、他端が後述する共通液体流路４２と連通する流路である。そして、記録動作時において、循環流路２２内のインクの一部は連通路２６を介して記録ヘッド１６側に送られる。
【００２０】
次に記録ヘッド１６の構成について詳しく説明する。本実施形態における記録ヘッド１６は、圧電振動子３１（圧力発生素子の一種）、固定板３２、及び、フレキシブルケーブル３３をユニット化した振動子ユニット３４と、この振動子ユニット３４を収納可能なヘッドケース３５と、リザーバー３０（共通インク室）から圧力発生室３７を通りノズル３８に至る一連の流路を形成する流路ユニット３９と、を備えて構成される。
【００２１】
ヘッドケース３５は、例えば、エポキシ系樹脂などの樹脂により作製された中空箱体状の部材であり、上側に流路部材１４が接続部材１５を介して接合され、下側（流路部材１４の接合側とは反対側）に流路ユニット３９が接合されている。また、ヘッドケース３５の内部には、共通液体流路４２と収容空部４０が形成されている（図３参照）。共通液体流路４２は、上端側で接続部材１５の接続流路４１を介して流路部材１４の連通路２６と連通し、下端側で流路ユニット３９のリザーバー３０と連通している。本実施形態では、片側の側面側に４本の共通液体流路４２を形成している（図２参照）。なお、接続部材１５はエラストマー等で形成された可撓性を有するシール部材であり、共通液体流路４２および連通路２６は、この接続部材１５の接続流路４１によって液密状態で接続されている。また、収容空部４０は、共通液体流路４２より内側に形成されており、アクチュエーターの一種である振動子ユニット３４を収容している。
【００２２】
振動子ユニット３４は、圧電振動子３１、固定板３２、及び、フレキシブルケーブル３３から構成されている。詳しくは、圧電振動子３１は縦方向に細長な部材であり、基材である圧電振動板を数十μｍ程度の極めて細い幅の櫛歯状に切り分けることで、複数形成される。この圧電振動子３１は縦方向に伸縮可能な縦振動型の圧電振動子３１として構成されている。各圧電振動子３１は、固定端部を固定板３２上に接合することにより、自由端部を固定板３２の先端縁よりも外側に突出させて所謂片持ち梁の状態で固定されている。そして、各圧電振動子３１における自由端部の先端は、後述するように、それぞれ流路ユニット３９におけるダイヤフラム部４４を構成する島部４５に接合される。また、フレキシブルケーブル３３は、一端が固定板３２とは反対側となる固定端部の側面で圧電振動子３１と電気的に接続され、他端が制御基板４３に接続されている。このフレキシブルケーブル３３の表面には、制御用ＩＣ４６が実装されている。この制御基板４３および制御用ＩＣ４６によって、各圧電振動子３１の駆動等が制御される。さらに、各圧電振動子３１を支持する固定板３２は、圧電振動子３１からの反力を受け止め得る剛性を備えた金属製の板材によって構成されており、本実施形態では、厚さが１ｍｍ程度のステンレス鋼板によって作製されている。
【００２３】
次に、流路ユニット３９について説明する。流路ユニット３９は、図３に示すように、ノズルプレート４７、流路形成基板４８、及び振動板４９から構成され、ノズルプレート４７とは反対側でヘッドケース３５に接合している。また流路ユニット３９は、ノズルプレート４７を流路形成基板４８の一方の表面に、振動板４９をノズルプレート４７とは反対側となる流路形成基板４８の他方の表面にそれぞれ配置して積層し、接着等により一体化することで形成される。
【００２４】
ノズルプレート４７は、ドット形成密度に対応したピッチで複数のノズル３８を列状に開設したステンレス鋼製の薄いプレートである。本実施形態では、例えば、１８０個のノズル３８を列状に開設し、これらのノズル３８によってノズル列を構成している。
【００２５】
流路形成基板４８は、リザーバー３０、インク供給口５３、及び圧力発生室３７からなる一連のインク流路を形成する板状部材である。具体的には、この流路形成基板４８は、各ノズル３８に対応して連通する複数の圧力発生室３７となる空部を隔壁で区画した状態で複数並べて形成すると共に、各圧力発生室３７に対応する複数のインク供給口５３およびリザーバー３０となる空部を形成した板状の部材である。そして、本実施形態の流路形成基板４８は、シリコンウェハーをエッチング処理することで作製されている。上記の圧力発生室３７は、ノズル３８の列設方向（ノズル列方向）に対して直交する方向に細長い室として形成され、インク供給口５３は、圧力発生室３７とリザーバー３０との間を連通する流路幅の狭い狭窄部として形成されている。また、リザーバー３０は、共通液体流路４２、接続流路４１、連通路２６、循環流路２２を介して上部でサブタンク１３と連通すると共に、インク供給口５３を介して対応する各圧力発生室３７に連通している。このため、リザーバー３０はサブタンク１３に貯留されたインクを各圧力発生室３７に供給することができる。なお、循環流路２２、連通路２６、接続流路４１、共通液体流路４２、リザーバー３０、インク供給口５３および圧力発生室３７からなる一連の流路が本発明における流路に相当する。
【００２６】
振動板４９は、ステンレス鋼等の金属製の支持板５５上にＰＰＳ（ポリフェニレンサルファイド）等の樹脂フィルム５６をラミネート加工した二重構造の複合板材であり、共通液体流路４２の下端に対応する位置に上下方向に開口を貫通させて、共通液体流路４２とリザーバー３０を連通可能に構成している。また、振動板４９は、圧力発生室３７の一方の開口面を封止してこの圧力発生室３７の容積を変動させるためのダイヤフラム部４４を有すると共に、リザーバー３０の一方の開口面を封止するコンプライアンス部５７が形成されている。そして、ダイヤフラム部４４は、圧力発生室３７に対応した部分の支持板５５にエッチング加工を施し、当該部分を環状に除去して圧電振動子３１の自由端部の先端を接合するための島部４５を複数形成することで構成されている。この島部４５は、圧力発生室３７の平面形状と同様に、ノズル３８の列設方向と直交する方向に細長いブロック状であり、この島部４５の周りの樹脂フィルム５６が弾性体膜として機能する。また、コンプライアンス部５７として機能する部分、すなわちリザーバー３０に対応する部分は、このリザーバー３０の開口形状に倣って支持板５５がエッチング加工で除去されて樹脂フィルム５６のみとなっている。
【００２７】
このように、上記島部４５には圧電振動子３１の先端面が接合されているので、この圧電振動子３１の自由端部を伸縮させることで圧力発生室３７の容積を変動させることができる。この容積変動に伴って圧力発生室３７内のインクに圧力変動が生じる。この圧力変動を利用することで、記録ヘッド１６はノズル３８からインク滴を噴射（吐出）させている。
【００２８】
また、記録ヘッドユニット２の下部には、流路ユニット３９の側面および底部を保護するヘッドカバー１７が装着されている（図３参照）。ヘッドカバー１７は、例えば金属製の薄板部材によって略額縁状に作製されており、上部がヘッドケース３５の側面に当接すると共に、下部がノズルプレート４７側に略９０度屈曲してノズルプレート４７の端部に固定されている。なお、ヘッドカバー１７はグランドに接続することで、ノズルプレート４７の帯電を防止することができる。
【００２９】
次に、本発明のフィルター２５について、図を用いて詳しく説明する。図４（ａ）はフィルター２５の四隅を拡大した正面図、図４（ｂ）は図４（ａ）におけるＢ−Ｂ線断面図である。フィルター２５は、上述したように、フィルター装着部２２ｂ内に装着され、循環流路２２から記録ヘッド１６に向かうインクを濾過している。本実施形態のフィルター２５は、絶縁体で形成されたフィルター枠５９の内側において導電性を有する電熱線６０（ニッケル合金、ステンレス鋼等。本発明の導体部に相当）を網目状に織って（平織り）形成している。この電熱線６０の表面には、樹脂等の絶縁層がコーティングされている（図４（ｂ）参照）。また、フィルター枠５９はフィルター２５の外形を形成する上辺が山形に膨出した略長方形状の枠であり、このフィルター枠５９を基体として上記電熱線６０が織り込まれている。詳しく説明すると、この電熱線６０の織り込みは、フィルター枠５９の一方の隅（図４（ａ）における右下）から電熱線６０の一端部を導入し、フィルター枠５９の前面側を上方に向けて縦糸の如く延伸させる。電熱線６０がフィルター枠５９の上辺に達すると、電熱線６０間に隙間（例えば、電熱線６０間が２０μｍ）が開くように左右方向（図４（ａ）における左側）にずれると共に、フィルター枠５９を挟んで後面側折り返し、下方に向けて延伸する。同様に、電熱線６０がフィルター枠５９の下辺に達すると、上辺側の場合と同じ方向にずれると共に、フィルター枠５９を挟んで前面側へ折り返す。このように、上下方向の延伸と折り返しを繰り返し行うことで、縦電熱線６０ａが縦糸状に等間隔に並ぶ。そして、縦電熱線６０ａがフィルター枠５９の電熱線６０導入位置と対角に位置する隅まで達すると、電熱線６０はフィルター枠５９の後面側に折り返されると共に、左右方向（図４（ａ）における右側）に向けて折り返されて同方向に延伸する。このとき、上下方向に延伸した縦電熱線６０ａとは後面側で重なり、隣に位置する縦電熱線６０ａとは前面側で重なる。このように、左右方向に延伸した横電熱線６０ｂは、並列する縦糸状の縦電熱線６０ａに対して横糸状に前後交互に重なる。そして、横電熱線６０ｂがフィルター枠５９の右辺に達すると、電熱線６０間に隙間（例えば、電熱線６０間が２０μｍ）が開くように下方向にずれると共に、フィルター枠５９を挟んで後面側に折り返す。その後、同様に縦電熱線６０ａと前後交互に重なりながら左方に延伸した後、下方向にずれると共に、フィルター枠５９を挟んで後面側に折り返す。この延伸と折り返しを左右方向でも繰り返し行うことで、横電熱線６０ｂが横糸状に等間隔に並び、電熱線６０の終端部が電熱線６０の導入位置と同じ隅（図４（ａ）における右下）に位置する。このように、縦電熱線６０ａと横電熱線６０ｂを交互に交差させながら織る（いわゆる平織り）ことで、縦電熱線６０ａと横電熱線６０ｂに囲まれた網目（例えば、２０μｍ平方）を形成することができ、これによりインク内の異物等を捕捉する（インクを濾過する）ことができる。そして、電熱線６０の始端部および終端部は、フィルター枠５９の右下隅の外側において、接続配線２８とそれぞれ電気的に接続されている。なお、接続配線２８はリード線であり、絶縁膜によって被膜されている。また、これら２本の接続配線２８は流路部材１４の外まで延在して、一方が電源２９の陽極に他方が電源２９の陰極に接続している。なお、接続配線２８および電源２９が本発明の給電手段に相当する。
【００３０】
電源２９は、記録ヘッドユニット２の外（例えば、プリンター１のフレーム）に備えられており、この電源２９から接続配線２８を介してフィルター２５の電熱線６０に通電することで当該フィルター２５を発熱（ジュール熱）させることができる。ここで、電熱線６０の表面には絶縁層を設けているので、フィルター２５を流れる電流がインクにリークすることがない。このため、インクの電気分解を防ぐことができ、もちろん隣り合う電熱線６０間で短絡することもない。また、電源２９は、制御部（図示せず）の信号に基づいて電流量を調整可能に構成されており、電流量を変化させることでフィルター２５の発熱量を制御している。例えば、循環流路２２内において、インクの温度が低い場合は流す電流量を増やし、インクの温度が高い場合は流す電流量を減らしている。
【００３１】
このように、流路内の液体を濾過するフィルター２５に通電することでフィルター２５自体が発熱するため、効率良く流路内の液体を加熱することができる。また、フィルター２５に通電するとすぐにフィルター２５全体が発熱し始めるため、液体の加熱速度も早くなる。その結果、流路内のインクの温度に応じて、敏感にフィルター２５の発熱量を変えることができるため、流路内の液体の温度制御が容易になる。また、流路内のインクの温度を上げることで、インク粘度を下げることができ、フィルター２５による流路抵抗の増大を抑制することができる。さらに、加熱手段を別途設ける必要が無いため、構造を簡単にすることができる。なお、本実施形態のフィルター２５は、上記したように１本の電熱線６０をいわゆる平織りに織ったが、織り方はこれに限らず、例えば、平畳織りや綾畳織り等の織り方でも良い。要は、電熱線６０を網目状に織ることで微細な網目を通してインクを濾過でき、かつ電熱線６０に通電することでフィルター２５自体が発熱できれば良い。
【００３２】
また、上記第１の実施形態では、電熱線６０を網目状に織ってフィルター２５を形成したが、これに限らない。例えば、図５に第２の実施形態のフィルター２５を示す。
【００３３】
第２の実施形態におけるフィルター２５は、薄板状の電熱板６２（ニッケル合金、ステンレス鋼等。本発明の導体部に相当）であり、正面視において上辺が山形に膨出した略長方形状に形成している。また、電熱板６２は小径な穴（例えば、直径２０μｍ）を複数開けて（貫通して）形成しており、この穴を通してインクを濾過することができる。本実施形態では穴を縦横に規則正しく整列させている。また、このような電熱板６２の表面には、絶縁層が形成されている。そして、電熱板６２の一方の隅（図５における右下）およびこの対角に位置する隅（図５における左上）には、絶縁層を除去して接続配線２８が電熱板６２に直接接続されている。なお、電熱板６２の右下に接続された接続配線２８は、流路部材１４の外まで延在して、電源２９の陽極または陰極のどちらかに接続される。一方、電熱板６２の左上に接続された接続配線２８は、フィルター２５の上辺および右辺の外周を引き回して、フィルター２５の右下から流路部材１４の外まで延在させ、電源２９の残りの一方に接続している。なお、接続配線２８はリード線であり、絶縁膜によって被膜されている。また、接続配線２８および電源２９が本発明の給電手段に相当する。さらに、その他の構成は、第１の実施形態と同じであるため、説明を省略する。
【００３４】
このように、本実施形態のフィルター２５は電熱板６２にプレス加工等で穴を開けた後、電熱板６２全体に絶縁層を形成するだけでよいため、容易に製造することができる。また、流路内の液体を濾過するフィルター２５に通電することでフィルター２５自体が発熱するため、効率良く流路内の液体を加熱することができる。また、フィルター２５に通電するとすぐにフィルター２５全体が発熱し始めるため、液体の加熱速度も早くなる。その結果、流路内のインクの温度に応じて、敏感にフィルター２５の発熱量を変えることができるため、流路内の液体の温度制御が容易になる。また、流路内のインクの温度を上げることで、インク粘度を下げることができ、フィルター２５による流路抵抗の増大を抑制することができる。さらに、加熱手段を別途設ける必要が無いため、構造を簡単にすることができる。
【００３５】
また、上記各実施形態では、フィルターを装着する箇所を記録ヘッドより上流側の流路内に設けたが、これには限られない。例えば、共通液体流路内や流路ユニットの流路内にフィルターを設けることもできる。さらに、上記各実施形態では、流路として、一部が循環する流路を例示したが、これには限られない。例えば、サブタンクと記録ヘッドを循環しない一方向の流路で接続する場合にも本発明を適用することが可能である。この場合、サブタンクを設けず、インクカートリッジと記録ヘッドを直接接続する構成とすることもできる。また、インクカートリッジをキャリッジ外（プリンターのフレーム側等）に設けても良い（いわゆる、オフキャリッジタイプ）。この場合、インクカートリッジとサブキャリッジをチューブ等で接続することで、インクカートリッジ内のインクをサブキャリッジ側に送る。
【００３６】
さらに、上記実施形態では、圧力発生手段として、所謂縦振動モードの圧電振動子を例示したが、これには限られない。例えば、所謂撓み振動モードの圧電振動子や発熱素子を用いる場合にも本発明を適用することが可能である。
【００３７】
そして、本発明は、プリンターに限らず、プロッター、ファクシミリ装置、コピー機等、各種のインクジェット式記録装置や、記録装置以外の液体噴射装置、例えば、ディスプレイ製造装置、電極製造装置、チップ製造装置等にも適用することができる。
【符号の説明】
【００３８】
１…プリンター，２…記録ヘッドユニット，１３…サブタンク，１４…流路部材，１６…記録ヘッド，２２…循環流路，２５…フィルター，２８…接続配線，２９…電源，３４…振動子ユニット，３５…ヘッドケース，３８…ノズル，３９…流路ユニット，４２…共通液体流路，５９…フィルター枠，６０…電熱線，６１…絶縁層，６２…電熱板
【図１】
2012086370.tif 000003
【図２】
2012086370.tif 000004
【図３】
2012086370.tif 000005
【図４】
2012086370.tif 000006
【図５】
2012086370.tif 000007